(57)【要約】      （修正有）【課題】ホースを確実に挟み込むことができるとともに清掃を容易に行うことができるホース巻き取り装置を提供すること。【解決手段】ホース巻き取り装置は、ホースガイド機構２０が、第１の回転体の両側を保持する第１のホースガイド枠と、第２の回転体の両側を保持する第２のホースガイド枠と、第１のホースガイド枠に対して第２のホースガイド枠を開閉動作させる蝶番ピンと、第１のホースガイド枠に一端を、第２のホースガイド枠に他端を接続して、第２のホースガイド枠を閉方向に付勢する付勢手段とを備えたことを特徴とする。【選択図】図１
2015034070.tif 000002
【特許請求の範囲】
【請求項１】
巻芯部にホースを巻き取るリールドラムと、前記リールドラムへの前記ホースの巻き取り時と前記リールドラムからの前記ホースの繰り出し時に前記ホースを案内するホースガイド機構とを備え、
前記ホースガイド機構が、第１の回転体と第２の回転体とを有し、
前記第１の回転体と前記第２の回転体とで前記ホースを挟み込むことで前記ホースを案内するホース巻き取り装置であって、
前記ホースガイド機構が、
前記第１の回転体の両側を保持する第１のホースガイド枠と、
前記第２の回転体の両側を保持する第２のホースガイド枠と、
前記第１のホースガイド枠に対して前記第２のホースガイド枠を開閉動作させる蝶番ピンと、
前記第１のホースガイド枠に一端を、前記第２のホースガイド枠に他端を接続して、前記第２のホースガイド枠を閉方向に付勢する付勢手段と
を備えたことを特徴とするホース巻き取り装置。
【請求項２】
前記リールドラムへの前記ホースの巻き取り時に、前記第１の回転体の回転に抵抗を与える抵抗付加手段と、
前記リールドラムからの前記ホースの繰り出し時に、前記抵抗付加手段から前記第１の回転体への抵抗を切り離すワンウェイクラッチと
を備えたことを特徴とする請求項１に記載のホース巻き取り装置。
【請求項３】
前記第２の回転体の回転数を検出するホース距離計測手段を備えたことを特徴とする請求項１又は請求項２に記載のホース巻き取り装置。
【請求項４】
前記ホースガイド機構に、前記ホースに水を噴射するホース洗浄ノズルを備えたことを特徴とする請求項１から請求項３のいずれかに記載のホース巻き取り装置。
【請求項５】
前記ホース洗浄ノズルを、前記第１のホースガイド枠に設けたことを特徴とする請求項４に記載のホース巻き取り装置。
【請求項６】
前記巻芯部を回転させる油圧モータと、
前記巻芯部の回転とともに回転するガイドシャフトと、
前記ガイドシャフトの回転によって前記ガイドシャフトの軸方向に往復移動するガイドピンホルダーと
を備え、
前記ガイドピンホルダーを前記ホースガイド機構に設けたことを特徴とする請求項１から請求項５のいずれかに記載のホース巻き取り装置。
【発明の詳細な説明】
【技術分野】
【０００１】
本発明は、例えば高圧洗浄車に備えられるホース巻き取り装置に関する。
【背景技術】
【０００２】
従来よりホースガイド機構を備えたホース巻き取り装置が提案されている（特許文献１、特許文献２）。
特許文献１では、ガイドの駆動部をフレームと蓋とで覆うことにより、駆動部の各部材を露出させないで済むようにして、衣服や人体の一部を巻き込む等の不具合を未然に防止できるようにしたホース巻き取り装置を提案している。
特許文献２では、線条部材を巻取りドラムに整列状態に巻き取ることができるものにおいて、部品点数を少なくできると共に、構造も簡素化でき、ひいてはコストも低減できるホース巻き取り装置を提案している。
【先行技術文献】
【特許文献】
【０００３】
【特許文献１】特開２００５−３５７７１号公報
【特許文献２】特開２００５−６７８５９号公報
【発明の概要】
【発明が解決しようとする課題】
【０００４】
ところで、高圧洗浄車に備えられるホース表面は、汚れやすく、ホース巻き取り装置にホースを巻き取る際に、ホースガイド機構に塵や汚物が付着しやすい。
特許文献１や特許文献２は、ホースガイド機構がシンプルであるために、洗浄が容易であるが、ホースが長くなり、又は径の大きなホースを巻き取るホース巻き取り装置では、ホースガイド機構への塵や汚物の付着に対する洗浄は容易でない。
【０００５】
本発明は、清掃を容易に行うことができる高圧洗浄車に備えられるホース巻き取り装置を提供することを目的とする。
【課題を解決するための手段】
【０００６】
請求項１記載の本発明のホース巻き取り装置は、巻芯部にホースを巻き取るリールドラムと、前記リールドラムへの前記ホースの巻き取り時と前記リールドラムからの前記ホースの繰り出し時に前記ホースを案内するホースガイド機構とを備え、前記ホースガイド機構が、第１の回転体と第２の回転体とを有し、前記第１の回転体と前記第２の回転体とで前記ホースを挟み込むことで前記ホースを案内するホース巻き取り装置であって、前記ホースガイド機構が、前記第１の回転体の両側を保持する第１のホースガイド枠と、前記第２の回転体の両側を保持する第２のホースガイド枠と、前記第１のホースガイド枠に対して前記第２のホースガイド枠を開閉動作させる蝶番ピンと、前記第１のホースガイド枠に一端を、前記第２のホースガイド枠に他端を接続して、前記第２のホースガイド枠を閉方向に付勢する付勢手段とを備えたことを特徴とする。
請求項２記載の本発明は、請求項１に記載のホース巻き取り装置において、前記リールドラムへの前記ホースの巻き取り時に、前記第１の回転体の回転に抵抗を与える抵抗付加手段と、前記リールドラムからの前記ホースの繰り出し時に、前記抵抗付加手段から前記第１の回転体への抵抗を切り離すワンウェイクラッチとを備えたことを特徴とする。
請求項３記載の本発明は、請求項１又は請求項２に記載のホース巻き取り装置において、前記第２の回転体の回転数を検出するホース距離計測手段を備えたことを特徴とする。
請求項４記載の本発明は、請求項１から請求項３のいずれかに記載のホース巻き取り装置において、前記ホースガイド機構に、前記ホースに水を噴射するホース洗浄ノズルを備えたことを特徴とする。
請求項５記載の本発明は、請求項４に記載のホース巻き取り装置において、前記ホース洗浄ノズルを、前記第１のホースガイド枠に設けたことを特徴とする。
請求項６記載の本発明は、請求項１から請求項５のいずれかに記載のホース巻き取り装置において、前記巻芯部を回転させる油圧モータと、前記巻芯部の回転とともに回転するガイドシャフトと、前記ガイドシャフトの回転によって前記ガイドシャフトの軸方向に往復移動するガイドピンホルダーとを備え、前記ガイドピンホルダーを前記ホースガイド機構に設けたことを特徴とする。
【発明の効果】
【０００７】
本発明のホース巻き取り装置によれば、付勢手段によって第２の回転体を第１の回転体に近接する方向に付勢するため、ホースを確実に挟み込むことができ、第１のホースガイド枠に対して第２のホースガイド枠を開動作させることができるため、第１の回転体と第２の回転体の清掃を容易に行うことができる。
【図面の簡単な説明】
【０００８】
【図１】本発明の一実施例によるホース巻き取り装置の構成図
【図２】本実施例によるホース巻き取り装置のホースガイド機構を示す構成図
【図３】図２（ｃ）において第１のホースガイド枠に対して第２のホースガイド枠を開動作させた状態を示す構成図
【発明を実施するための形態】
【０００９】
本発明の第１の実施の形態によるホース巻き取り装置は、ホースガイド機構が、第１の回転体の両側を保持する第１のホースガイド枠と、第２の回転体の両側を保持する第２のホースガイド枠と、第１のホースガイド枠に対して第２のホースガイド枠を開閉動作させる蝶番ピンと、第１のホースガイド枠に一端を、第２のホースガイド枠に他端を接続して、第２のホースガイド枠を閉方向に付勢する付勢手段とを備えたものである。本実施の形態によれば、付勢手段によって第２の回転体を第１の回転体に近接する方向に付勢するため、ホースを確実に挟み込むことができる。また、本実施の形態によれば、第１のホースガイド枠に対して第２のホースガイド枠を開動作させることができるため、第１の回転体と第２の回転体の清掃を容易に行うことができる。
【００１０】
本発明の第２の実施の形態は、第１の実施の形態によるホース巻き取り装置において、リールドラムへのホースの巻き取り時に、第１の回転体の回転に抵抗を与える抵抗付加手段と、リールドラムからのホースの繰り出し時に、抵抗付加手段から第１の回転体への抵抗を切り離すワンウェイクラッチとを備えたものである。本実施の形態によれば、リールドラムへのホースの巻き取り時に、ホースガイド機構とリールドラムとの間でホースがたるむことを防止でき、スムーズな巻き取りを行うことができる。また、本実施の形態によれば、リールドラムからのホースの繰り出し時に、ホースに抵抗を与えることなく、迅速な繰り出しを行うことができる。
【００１１】
本発明の第３の実施の形態は、第１又は第２の実施の形態によるホース巻き取り装置において、第２の回転体の回転数を検出するホース距離計測手段を備えたものである。本実施の形態によれば、ホースガイド機構を利用してホース距離計測手段を備えることができ、また精度の高い計測を行うことができる。
【００１２】
本発明の第４の実施の形態は、第１から第３のいずれかの実施の形態によるホース巻き取り装置において、ホースガイド機構に、ホースに水を噴射するホース洗浄ノズルを備えたものである。本実施の形態によれば、巻き取り時にホースの洗浄を行うことができる。
【００１３】
本発明の第５の実施の形態は、第４の実施の形態によるホース巻き取り装置であって、ホース洗浄ノズルを、第１のホースガイド枠に設けたものである。本実施の形態によれば、固定側である第１のホースガイド枠に設けることで、付勢手段による付勢力に影響を与えることがない。
【００１４】
本発明の第６の実施の形態は、第１から第５のいずれかの実施の形態によるホース巻き取り装置であって、巻芯部を回転させる油圧モータと、巻芯部の回転とともに回転するガイドシャフトと、ガイドシャフトの回転によってガイドシャフトの軸方向に往復移動するガイドピンホルダーとを備え、ガイドピンホルダーをホースガイド機構に設けたものである。本実施の形態によれば、ホース整列機構を備えたホースガイド機構においても適用できる。
【実施例】
【００１５】
以下本発明の一実施例によるホース巻き取り装置について説明する。
図１は本実施例によるホース巻き取り装置の構成図であり、同図（ａ）は正面図、同図（ｂ）は左側面図、同図（ｃ）は右側面図、同図（ｄ）は上面図である。
【００１６】
本実施例によるホース巻き取り装置は、巻芯部１１にホースを巻き取るリールドラム１０と、リールドラム１０へのホースの巻き取り時とリールドラム１０からのホースの繰り出し時にホースを案内するホースガイド機構２０とを備えている。
リールドラム１０は、リールドラムシャフト１２を備え、巻芯部１１はリールドラムシャフト１２とともに回転可能に設けている。
巻芯部１１の一方の側部におけるリールドラムシャフト１２には、リールドラム側第１スプロケット１３ａを設けている。
巻芯部１１の他方の側部におけるリールドラムシャフト１２には、リールドラム側第２スプロケット１３ｂを設けている。
【００１７】
リールドラム側第１スプロケット１３ａは、ドラム回転用チェーン１４ａによって回転する。ドラム回転用チェーン１４ａは、油圧モータ側スプロケット１４ｂによって駆動する。油圧モータ側スプロケット１４ｂは油圧モータ１４ｃによって回転する。従って、リールドラムシャフト１２は、油圧モータ１４ｃによって回転する。
【００１８】
リールドラム側第２スプロケット１３ｂの回転は、ホースガイド機構移動用チェーン１５ａによってホースガイド機構用スプロケット１５ｂに伝えられる。
ホースガイド機構用スプロケット１５ｂは、ガイドシャフト１５ｃに設けている。ガイドシャフト１５ｃは、ホースガイド機構用スプロケット１５ｂとともに回転する。従って、ガイドシャフト１５ｃは、リールドラムシャフト１２によって回転する。
ガイドシャフト１５ｃには、ガイドピンホルダー１５ｄを設けている。ガイドピンホルダー１５ｄは、ガイドシャフト１５ｃの回転によってガイドシャフト１５ｃの軸方向に往復移動する。
【００１９】
ガイドピンホルダー１５ｄは、ホースガイド機構２０に設けている。従って、ホースガイド機構２０は、ガイドピンホルダー１５ｄとともに、ガイドシャフト１５ｃの回転によってガイドシャフト１５ｃの軸方向に往復移動する。
ガイドシャフト１５ｃの両端は、ガイドシャフトブラケット１５ｅで支持されている。
【００２０】
リールドラム１０は、ホースリール台３０によって支持されている。ホースリール台３０は、ホースリール台旋回ベアリング３１を介してホースリール旋回台３２に設けている。ホースリール台３０は、ホースリール旋回台３２に対して１８０度の範囲で旋回できる。
ホースリール台３０にはホース押さえ機構３３を有し、ホース押さえ機構３３は、ホースリール台３０からアーム３４を介して巻芯部１１の外周部に位置する。
【００２１】
図２は本実施例によるホース巻き取り装置のホースガイド機構を示す構成図であり、同図（ａ）は正面図、同図（ｂ）は左側面図、同図（ｃ）は右側面図、同図（ｄ）は同図（ａ）のＡ−Ａ線矢視図、同図（ｅ）は同図（ｂ）のＢ−Ｂ線矢視図、同図（ｆ）は同図（ｂ）のＣ−Ｃ線矢視図である。
【００２２】
ホースガイド機構２０は、第１の回転体（ガイドローラ）２１と第２の回転体（ローレットローラ）２２とを有している。
第１の回転体２１の両側は、第１のホースガイド枠（内側ホースガイド枠）２３によって保持される。第２の回転体２２の両側は、第２のホースガイド枠（外側ホースガイド枠）２４によって保持される。
蝶番ピン２５は、第１のホースガイド枠２３に対して第２のホースガイド枠２４を開閉動作させる。
図２（ｆ）に示すように、ガイドピンホルダー１５ｄ内にはガイドピン１５ｆを備えている。ガイドピン１５ｆはガイドシャフト１５ｃの螺旋溝１５ｇにはめ込まれている。従って、ガイドシャフト１５ｃの回転によってガイドピン１５ｆは螺旋溝１５ｇに沿って移動し、ガイドピンホルダー１５ｄはガイドピン１５ｆとともにガイドピンホルダー１５ｄを摺動する。なお、ガイドピンホルダー１５ｄは、ガイドシャフト１５ｃの一端まで移動すると、ガイドピン１５ｆの傾き方向が変わり、ガイドシャフト１５ｃの他端に向けて移動する。このように、ガイドピンホルダー１５ｄは、ガイドシャフト１５ｃを往復動作する。
付勢手段４０ａ、４０ｂは、第１のホースガイド枠２３の外面に一端４１を、第２のホースガイド枠２４の外面に他端４２を接続して、第１のホースガイド枠２３に対して第２のホースガイド枠２４を、ホースＸを挟む方向に付勢する。
付勢手段４０ａ、４０ｂは、例えば、コイルバネ４３とアイボルト４４と蝶ナット４５とから構成され、アイボルト４４のリング側にコイルバネ４３を、アイボルト４４のボルト側に蝶ナット４５を設け、蝶ナット４５によってコイルバネ４３の付勢力を調整する。
【００２３】
第１の回転体２１と第２の回転体２２とでホースＸを挟み込むことでホースＸを案内する。
蝶番ピン２５は、第１の回転体２１及び第２の回転体２２がホースＸを挟み込む位置Ｙよりもリールドラム１０側に配置している。また、付勢手段４０ａ、４０ｂは、蝶番ピン２５よりも第１の回転体２１及び第２の回転体２２がホースＸを挟み込む位置Ｙ側に配置している。
【００２４】
本実施例によれば、付勢手段４０ａ、４０ｂによって第２の回転体２２を第１の回転体２１に近接する方向に付勢するため、ホースＸを確実に挟み込むことができる。
図３は、図２（ｃ）において第１のホースガイド枠に対して第２のホースガイド枠を開動作させた状態を示している。
本実施例によれば、第１のホースガイド枠２３に対して第２のホースガイド枠２４を開動作させることができるため、第１の回転体２１と第２の回転体２２の清掃を容易に行うことができる。なお、第１の回転体２１と第２の回転体２２の清掃を行う場合には、付勢手段４０ａ、４０ｂの一端４１又は他端４２を、第１のホースガイド枠２３又は第２のホースガイド枠２４から取り外して行うことが好ましい。図３では、ホースガイド機構２０から付勢手段４０ａ、４０ｂを取り外した状態を示している。
付勢手段４０ａ、４０ｂの取り外しは、蝶ナット４５をアイボルト４４から取り外すことで行うことができる。
【００２５】
第１の回転体２１のガイドローラーピン２１ａには、ワンウェイクラッチ５１を介して抵抗付加手段５０を設けている。抵抗付加手段５０は、第１のホースガイド枠２３の外面に配置している。
抵抗付加手段５０は、リールドラム１０へのホースＸの巻き取り時に、第１の回転体２１の回転に抵抗を与える。ワンウェイクラッチ５１は、リールドラム１０からのホースＸの繰り出し時に、抵抗付加手段５０から第１の回転体２１への抵抗を切り離す。
【００２６】
本実施例によれば、リールドラム１０へのホースＸの巻き取り時に、ホースガイド機構２０とリールドラム１０との間でホースＸがたるむことを防止でき、スムーズな巻き取りを行うことができる。
また、本実施例によれば、リールドラム１０からのホースＸの繰り出し時に、ホースＸに抵抗を与えることなく、迅速な繰り出しを行うことができる。
【００２７】
本実施例によるホースガイド機構２０は、ホース距離計測手段６０を備えている。ホース距離計測手段６０は、例えば、第２の回転体２２とともに回転する回転検出板６１と、この回転検出板６１の回転を検出する近接スイッチ６２とから構成され、第２の回転体２２の回転数を検出することで、ホース距離を計測する。
回転検出板６１と近接スイッチ６２とは、第２のホースガイド枠２４の外面に配置している。
本実施例によれば、ホースガイド機構２０を利用してホース距離計測手段６０を備えることができ、また精度の高い計測を行うことができる。
【００２８】
本実施例によるホースガイド機構２０は、ホースＸに水を噴射するホース洗浄ノズル７０を備えている。
ホース洗浄ノズル７０は、第１のホースガイド枠２３に設けている。ホース洗浄ノズル７０による水の噴射位置は、第１の回転体２１及び第２の回転体２２がホースＸを挟み込む位置Ｙが好ましく、ホースＸの巻き取り時に洗浄のための噴射動作を行う。
本実施例によれば、固定側である第１のホースガイド枠２３にホース洗浄ノズル７０を設けることで、付勢手段４０ａ、４０ｂによる付勢力に影響を与えることなく、巻き取り時にホースＸの洗浄を行うことができる。
【００２９】
本実施例によれば、巻芯部１１を回転させる油圧モータ１４ｃと、巻芯部１１の回転とともに回転するガイドシャフト１５ｃと、ガイドシャフト１５ｃの回転によってガイドシャフト１５ｃの軸方向に往復移動するガイドピンホルダー１５ｄとを備え、ガイドピンホルダー１５ｄをホースガイド機構２０に設けることで、ホース整列機構を備えたホースガイド機構２０においても適用できる。
【産業上の利用可能性】
【００３０】
本発明は、高圧洗浄車等に装備するホース巻き取り装置に適している。
【符号の説明】
【００３１】
１０  リールドラム
１１  巻芯部
１２  リールドラムシャフト
１４ｃ  油圧モータ
１５ｃ  ガイドシャフト
１５ｄ  ガイドピンホルダー
２０  ホースガイド機構
２１  第１の回転体
２２  第２の回転体
２３  第１のホースガイド枠
２４  第２のホースガイド枠
２５  蝶番ピン
４０ａ、４０ｂ  付勢手段
５０  抵抗付加手段
５１  ワンウェイクラッチ
６０  ホース距離計測手段
７０  ホース洗浄ノズル
Ｘ  ホース
Ｙ  ホースＸを挟み込む位置
【図１】
2015034070.tif 000003
【図２】
2015034070.tif 000004
【図３】
2015034070.tif 000005